(57)【特許請求の範囲】
【請求項１】
ポンプを駆動する電動機を可変速運転させる可変速運転手段と、上記ポンプの吐出圧力を検出する圧力検出手段と、上記ポンプから吐出される流量を検出する流量検出手段と、上記可変速運転手段の出力周波数を検出する出力周波数検出手段とを備えた自動給水装置において、
上記可変速運転手段により上記電動機を可変速運転させることにより上記ポンプの吐出圧力を目標圧力一定となるように制御し、上記流量検出手段により検出される流量が停止流量より小さくなると上記電動機を停止する目標圧力一定制御手段と、
この目標圧力一定制御手段により目標圧力一定制御がなされているときに、上記圧力検出手段により上記目標圧力より小さい設定圧力以下が検出され、且つ上記流量検出手段により上記停止流量より大きい設定流量以下が検出され、且つ上記出力周波数検出手段により周波数が最大周波数未満の周波数が検出されているときに異常と判定する異常検出手段と、
この異常検出手段により異常と判定されたときに、上記電動機を瞬時に停止させて再度運転するリトライ運転手段とを具備したことを特徴とする自動給水装置。
【請求項２】
上記異常検出手段は、上記目標圧力一定制御手段により目標圧力一定制御がなされているときに、上記圧力検出手段により上記目標圧力より小さい設定圧力以下が検出され、且つ上記流量検出手段により上記停止流量より大きい設定流量以下が検出され、上記出力周波数検出手段により周波数が最大周波数未満の周波数が検出され、且つ可変速運転手段の運転電流が設定電流より小さいことが検出されたときに、異常であると判定することを特徴とする請求項１記載の自動給水装置。
【請求項３】
上記異常検出手段により異常が検出されてから設定時間後に上記リトライ運転手段を駆動するようにしたことを特徴とする請求項１あるいは２いずれか一記載の自動給水装置。
【発明の詳細な説明】
【０００１】
【発明の属する技術分野】
本発明は、インバ−タを使用してポンプを自動運転する自動給水装置において、電源や空中からのノイズによりポンプが誤作動するのを防止する保護機能を有する自動給水装置に関する。
【０００２】
【従来の技術】
従来より、自動給水装置に用いられるポンプは商用周波数で運転されていた。しかしながら、近年においては自動給水装置に用いられるポンプをインバ−タで制御して、ポンプの回転速度を制御して、ポンプの吐出圧力を一定に保つようにしている。このように、自動給水装置に用いられるポンプをインバ−タで制御することにより、自動給水装置を省エネルギ−で運転するようにしている。
【０００３】
【発明が解決しようとする課題】
このように、自動給水装置に用いられるポンプをインバ−タ制御するために、自動給水装置には各種電子部品やマイクロコンピュ−タが搭載されている。
このようにマイクロコンピュ−タを搭載した場合には、外部ノイズを除去することが問題となるため、外部ノイズを除去する工夫がなされている。
【０００４】
しかしながら、何らかの原因により、ノイズが侵入した場合には、インバ−タが誤作動する場合が想定される。
このように、仮にインバ−タが誤作動する場合でも、できる限り断水を防止する必要がある。
【０００５】
本発明は上記の点に鑑みてなされたもので、その目的は、装置に搭載されているインバ−タ等の電子部品が誤作動した場合でも断水を防止することができる自動給水装置を提供することにある。
【０００６】
【課題を解決するための手段】
請求項1に係わる自動給水装置は、ポンプを駆動する電動機を可変速運転させる可変速運転手段と、上記ポンプの吐出圧力を検出する圧力検出手段と、上記ポンプから吐出される流量を検出する流量検出手段と、上記可変速運転手段の出力周波数を検出する出力周波数検出手段とを備えた自動給水装置において、上記可変速運転手段により上記電動機を可変速運転させることにより上記ポンプの吐出圧力を目標圧力一定となるように制御し、上記流量検出手段により検出される流量が停止流量より小さくなると上記電動機を停止する目標圧力一定制御手段と、
この目標圧力一定制御手段により目標圧力一定制御がなされているときに、上記圧力検出手段により上記目標圧力より小さい設定圧力以下が検出され、且つ上記流量検出手段により上記停止流量より大きい設定流量以下が検出され、且つ上記出力周波数検出手段により周波数が最大周波数未満の周波数が検出されているときに異常と判定する異常検出手段と、この異常検出手段により異常と判定されたときに、上記電動機を瞬時に停止させて再度運転するリトライ運転手段とを具備したことを特徴とする。
【０００７】
請求項２に係わる自動給水装置は、請求項１記載の異常検出手段は、上記目標圧力一定制御手段により目標圧力一定制御がなされているときに、上記圧力検出手段により上記目標圧力より小さい設定圧力以下が検出され、且つ上記流量検出手段により上記停止流量より大きい設定流量以下が検出され、上記出力周波数検出手段により周波数が最大周波数未満の周波数が検出され、且つ可変速運転手段の運転電流が設定電流より小さいことが検出されたときに、異常であると判定することを特徴とする。
【０００８】
請求項３に係わる自動給水装置は、請求項１あるいは請求項２のいずれか一の異常検出手段により異常が検出されてから設定時間後に上記リトライ運転手段を駆動するようにしたことを特徴とする。
【０００９】
【発明の実施の形態】
以下図面を参照して本発明の一実施の形態について説明する。図１は自動給水装置の全体構成図である。図１において、１１は井戸である。この井戸１１には水１２が貯められている。
【００１０】
この井戸１１の水１２に浸るように、給水管１３の一端が設置されている。
この給水管１３の他端はチェックバルブ１４を介してポンプ１５の吸込み口に接続される。
【００１１】
このポンプ１５の回転はモ−タ１５ｍにより制御される。
このモ−タ１５ｍの運転周波数は制御部１６内のインバ−タ（可変速運転手段）１６ｂにより制御される。
【００１２】
また、このポンプ１５の吐出口には、流量センサ（ＦＳ）１７が介装された給水配管１８が接続される。この流量センサ１７によりポンプ１５の吐出口から排出される流量Ｉが検出される。
【００１３】
給水配管１８において、流量センサ１７の下流位置には圧力タンク１９が接続されている。
さらに、給水配管１８に圧力タンク１９が接続されている位置よりさらに圧力センサ（ＰＳ）２０が接続される。この圧力センサ２０によりポンプ１５の吐出圧力Ｐが検出される。
【００１４】
ところで、制御部１６はＣＰＵ１６ａ及びインバ−タ１６ｂを中心に構成されている。さらに、制御部１６はモ−タ１５ｍの運転周波数を検出する出力周波数検出部１６ｃ、モ−タ１５ｍの運転電流を検出する運転電流検出部１６ｄ、インバ−タ１６ｂが誤作動している時間を計数するタイマ１６を備えている。
【００１５】
このＣＰＵ１６ａは図２のフロ−チャ−トに示す処理を行う。
次に、上記のように構成された本発明の一実施の形態の動作について図２のフロ−チャ−トを参照しながら説明する。
【００１６】
まず、目標圧力一定制御で自動運転される（ステップＳ１）。つまり、圧力センサ２０で検出されたポンプ１５の吐出圧力Ｐが始動圧力Ｐｓ以下になるとポンプ１５の運転が開始される。そして、ポンプ１５の吐出圧力Ｐが目標圧力Ｐｔ  となるようにポンプ１５の運転周波数がインバ−タ１６ａにより決定される。
【００１７】
また、流量センサ１７で検出される流量Ｉが停止流量Ｉｏ  より小さくなるとポンプ１５を停止する処理がなされる。
このようにして、ポンプ１５の吐出圧力Ｐが目標圧力Ｐｔとなるように自動運転制御される。
【００１８】
ところで、このように自動運転制御中において、ステップＳ２以降の制御がなされる。
まず、圧力センサ２０で検出されたポンプ１５の吐出圧力Ｐが検出される（ステップＳ２）。
【００１９】
そして、圧力センサ２０で検出されたポンプ１５の吐出圧力Ｐと設定圧力Ｐｐｒｅ  （＜Ｐｔ）とが比較される（ステップＳ３）。
次に、流量センサ１７により流量Ｉを検出する（ステップＳ４）。
【００２０】
そして、この流量Ｉと設定流量Ｉｐｒｅ  （＞Ｉｏ  ）とを比較する、つまり「Ｉ＜Ｉｐｒｅ  」であるかを判定する（ステップＳ５）。
このステップＳ５の判定で「ＹＥＳ」と判定された場合には、出力周波数検出部１６ｃにおいて運転周波数ｆが検出される（ステップＳ６）。
【００２１】
そして、この運転周波数ｆが設定周波数、つまり最大運転周波数ｆｍａｘ  とが比較される、つまり「ｆ＜ｆｍａｘ  」であるかを判定する（ステップＳ７）。
このステップＳ７の判定で「ＹＥＳ」であると判定された場合には、運転電流検出部１６ｄにおいてモ−タ１５ｍの運転電流ｉが検出される（ステップＳ８）。
【００２２】
この運転電流ｉと設定電流ｉｐｒｅ  とが比較される、つまり「ｉ＜ｉｐｒｅ  」であるかを判定する（ステップＳ９）。
このステップＳ９の判定で「ＹＥＳ」と判定された場合には、タイマ１６ｅに誤動作している時間Ｔを計数する（ステップＳ１０）。
【００２３】
そして、誤動作している時間Ｔと設定時間Ｔｐｒｅ  とを比較する、つまり「Ｔ＜Ｔｐｒｅ  」であるかを判定する（ステップＳ１１）。
このステップＳ１１の判定で「ＹＥＳ」であると判定された場合には、前述したステップＳ２の処理に戻る。
【００２４】
一方、ステップＳ１１の判定で「ＮＯ」であると判定された場合には、ポンプ１５を強制停止される処理がなされる（ステップＳ１２）。
そして、ポンプ１５を強制停止させて後、一定時間後に、ポンプ１５を再始動させる処理がなされる（ステップＳ１３）。以下、ステップＳ１以降の処理が開始される。
【００２５】
このように、目標圧力一定制御にて自動運転を行っているときに、ポンプ１５の吐出圧力Ｐ＜設定圧力Ｐｐｒｅ  で、流量Ｉ＜設定流量Ｉｐｒｅ  で、運転周波数ｆ＜ｆｍａｘ  で、運転電流ｉ＜ｉｍａｘ  である場合には、インバ−タ１６ｂが誤作動していると判定し、ポンプ１５を強制停止させた後、一定時間後にポンプ１５を再始動させるようにしたので、インバ−タ１６ｂが誤作動した場合でも、断水を回避することができる。
なお、ステップＳ３，Ｓ５，Ｓ７，Ｓ９において「ＮＯ」と判定された場合には、前述したステップＳ２の処理に戻る。
【００２６】
【発明の効果】
請求項１及び２記載の発明によれば、誤作動した場合には、リトライ運転を行うようにしたので、確実に断水の発生を防止することができる。
請求項３記載の発明によれば、誤作動している時間が設定時間継続した場合には、リトライ運転を行うようにしたので、確実に断水の発生を防止することができる。
【図面の簡単な説明】
【図１】本発明の一実施の形態の自動給水置の全体構成図。
【図２】本発明の一実施の動作を説明するためのフロ−チャ−ト。
【符号の説明】
１５…ポンプ、
１５ｍ…モ−タ、
１６…制御部、
１６ａ…ＣＰＵ、
１６ｂ…インバ−タ、
１７…流量センサ、
１８…給水配管、
１９…圧力タンク、
２０…圧力センサ。
【図１】
0003614630.tif 000002
【図２】
0003614630.tif 000003